【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
情報をリリースするコンピュータが実行する方法であって、
ユーザーと、複数の承認された第１の属性、および複数の承認された第２の属性とを関連付けるステップであって、前記承認された第１の属性および前記承認された第２の属性は以前の関連付けを有しない、ステップと、
各承認された第１の属性ごとに、承認された第１の属性と関連付けられるべき前記複数の承認された第２の属性のうちから、１または複数の承認された第２の属性を、１または複数の関連付けられた第２の属性として決定するステップと、
前記ユーザーの識別を記憶されたユーザー識別として、前記ユーザーに関連付けられた前記複数の承認された第１の属性を記憶された第１の属性として、および各承認された第１の属性に関連付けられた前記１または複数の関連付けられた第２の属性を、記憶された第２の属性として記憶するステップと
を含む、コンピュータが実行する方法。
【請求項２】
クライアントコンピューティングデバイスから情報をリリースする要求を受信するステップであって、前記要求は要求元ユーザー識別を含む、ステップと、
前記要求元ユーザー識別が記憶されたユーザー識別と一致するかを判断するステップと、
前記要求元ユーザー識別が前記記憶されたユーザー識別と一致するとき、前記記憶された第１の属性および各記憶された第１の属性に関連付けられた前記記憶された第２の属性を、前記ユーザーに関連付けられた第１の属性および第２の属性として決定するステップと
をさらに含む、請求項１に記載のコンピュータが実行する方法。
【請求項３】
１または複数の承認された第２の属性を１または複数の関連付けられた第２の属性として決定するステップは、
各承認された第１の属性を、１または複数の許可された第２の属性と関連付けるテーブル内で前記承認された第１の属性を検索して、前記承認された第１の属性と関連付けられた前記１または複数の許可された第２の属性を識別するステップと、
前記許可された第２の属性と一致する前記承認された第２の属性を、前記承認された第１の属性と関連付けられた１または複数の関連付けられた第２の属性として決定するステップと
を含む、請求項２に記載のコンピュータが実行する方法。
【請求項４】
前記承認された第１の属性と関連付けられた資格情報を、各承認された第２の属性と関連付けられた資格情報の構成要素と比較して、各承認された第２の属性に対する類似度の点数を判断するステップと、
前記承認された第１の属性と関連付けられた、関連付けられた第２の属性であるための閾値を超える類似度の点数を有する各承認された第２の属性を決定するステップと
をさらに含む、請求項３に記載のコンピュータが実行する方法。
【請求項５】
１または複数の承認された第２の属性を１または複数の関連付けられた第２の属性として決定するステップは、
前記承認された第１の属性と関連付けられた資格情報の構成要素を、各承認された第２の属性と関連付けられた資格情報の構成要素と比較して、各承認された第２の属性に対する類似度の点数を決定するステップと、
前記承認された第１の属性と関連付けられた、関連付けられた第２の属性であるための閾値を超える類似度の点数を有する各承認された第２の属性を決定するステップと
を含む、請求項２に記載のコンピュータが実行する方法。
【請求項６】
前記第１の属性はカテゴリーであり、前記第２の属性はブランドである、請求項２に記載のコンピュータが実行する方法。
【請求項７】
前記カテゴリーはサブカテゴリーを含む、請求項６に記載のコンピュータが実行する方法。
【請求項８】
情報をリリースするための装置であって、
メモリと、
前記メモリに結合されたプロセッサーと
をさらに備え、前記プロセッサーは、
ユーザーと、複数の承認された第１の属性、および複数の承認された第２の属性とを関連付け、前記承認された第１の属性および前記承認された第２の属性は以前の関連付けを有さず、
各承認された第１の属性ごとに、承認された第１の属性と関連付けられるべき前記複数の承認された第２の属性のうちから、１または複数の承認された第２の属性を、１または複数の関連付けられた第２の属性として決定し、
前記ユーザーの識別を記憶されたユーザー識別として、前記ユーザーに関連付けられた前記複数の承認された第１の属性を記憶された第１の属性として、および各承認された第１の属性に関連付けられた前記１または複数の関連付けられた第２の属性を記憶された第２の属性として記憶する、装置。
【請求項９】
前記プロセッサーは、さらに、
クライアントコンピューティングデバイスから情報をリリースする要求を受信し、前記要求は要求元ユーザー識別を含み、
前記要求元ユーザー識別が記憶されたユーザー識別と一致するかを判断し、
前記要求元ユーザー識別が前記記憶されたユーザー識別と一致するとき、前記記憶された第１の属性および各記憶された第１の属性に関連付けられた前記記憶された第２の属性を、前記ユーザーに関連付けられた第１の属性および第２の属性として決定する、請求項８に記載の装置。
【請求項１０】
１または複数の承認された第２の属性を１または複数の関連付けられた第２の属性として決定することは、
各承認された第１の属性を、１または複数の許可された第２の属性と関連付けるテーブル内で前記承認された第１の属性を検索して、前記承認された第１の属性と関連付けられた前記１または複数の許可された第２の属性を識別ことと、
前記許可された第２の属性と一致する前記承認された第２の属性を、前記承認された第１の属性と関連付けられた１または複数の関連付けられた第２の属性として決定することと
を含む、請求項９に記載の装置。
【請求項１１】
前記プロセッサーは、さらに、
前記承認された第１の属性と関連付けられた資格情報を、各承認された第２の属性と関連付けられた資格情報の構成要素と比較して、各承認された第２の属性に対する類似度の点数を判断し、
閾値を超える類似度の点数を有する各承認された第２の属性を、前記承認された第１の属性と関連付けられた、関連付けられた第２の属性として決定する、請求項１０に記載の装置。
【請求項１２】
１または複数の承認された第２の属性を１または複数の関連付けられた第２の属性として決定することは、
前記承認された第１の属性と関連付けられた資格情報の構成要素を、各承認された第２の属性と関連付けられた資格情報の構成要素と比較して、各承認された第２の属性に対する類似度の点数を決定することと、
閾値を超える類似度の点数を有する各承認された第２の属性を、前記承認された第１の属性と関連付けられた、関連付けられた第２の属性として決定することと
を含む、請求項９に記載の装置。
【請求項１３】
前記第１の属性はカテゴリーであり、前記第２の属性はブランドである、請求項１２に記載の装置。
【請求項１４】
前記カテゴリーはサブカテゴリーを含む、請求項１３に記載の装置。
【請求項１５】
プログラムの命令を組み込んだ非一時的コンピュータ読み取り可能記憶媒体であって、前記命令は、デバイスの１または複数のプロセッサーにより実行されるとき、前記デバイスに情報をリリースする方法を実行させ、前記方法は、
ユーザーと、複数の承認された第１の属性、および複数の承認された第２の属性とを関連付けるステップであって、前記承認された第１の属性および前記承認された第２の属性は以前の関連付けを有しない、ステップと、
各承認された第１の属性ごとに、承認された第１の属性と関連付けられるべき前記複数の承認された第２の属性のうちから、１または複数の承認された第２の属性を、１または複数の関連付けられた第２の属性として決定するステップと、
前記ユーザーの識別を記憶されたユーザー識別として、前記ユーザーに関連付けられた前記複数の承認された第１の属性を記憶された第１の属性として、および各承認された第１の属性に関連付けられた前記１または複数の関連付けられた第２の属性を記憶された第２の属性として記憶するステップと
を含む、媒体。
【請求項１６】
前記方法は、
クライアントコンピューティングデバイスから情報をリリースする要求を受信するステップであって、前記要求は要求元ユーザー識別を含む、ステップと、
前記要求元ユーザー識別が記憶されたユーザー識別と一致するかを判断するステップと、
前記要求元ユーザー識別が前記記憶されたユーザー識別と一致するとき、前記記憶された第１の属性および各記憶された第１の属性に関連付けられた前記記憶された第２の属性を、前記ユーザーに関連付けられた第１の属性および第２の属性として決定するステップと
をさらに含む、請求項１５に記載の媒体。
【請求項１７】
１または複数の承認された第２の属性を１または複数の関連付けられた第２の属性として決定するステップは、
各承認された第１の属性を、１または複数の許可された第２の属性と関連付けるテーブル内で前記承認された第１の属性を検索して、前記承認された第１の属性と関連付けられた前記１または複数の許可された第２の属性を識別するステップと、
前記許可された第２の属性と一致する前記承認された第２の属性を、前記承認された第１の属性と関連付けられた１または複数の関連付けられた第２の属性として決定するステップと
を含む、請求項１６に記載の媒体。
【請求項１８】
前記方法は、
前記承認された第１の属性と関連付けられた資格情報を、各承認された第２の属性と関連付けられた資格情報の構成要素と比較して、各承認された第２の属性に対する類似度の点数を判断するステップと、
閾値を超える類似度の点数を有する各承認された第２の属性を、前記承認された第１の属性と関連付けられた、関連付けられた第２の属性として決定するステップと
をさらに含む、請求項１７に記載の媒体。
【請求項１９】
１または複数の承認された第２の属性を１または複数の関連付けられた第２の属性として決定するステップは、
前記承認された第１の属性と関連付けられた資格情報の構成要素を、各承認された第２の属性と関連付けられた資格情報の構成要素と比較して、各承認された第２の属性に対する類似度の点数を決定するステップと、
閾値を超える類似度の点数を有する各承認された第２の属性を、前記承認された第１の属性と関連付けられた、関連付けられた第２の属性として決定するステップと
を含む、請求項１６に記載の媒体。
【請求項２０】
前記第１の属性はカテゴリーであり、前記第２の属性はブランドである、請求項１６に記載の媒体。